(57)【要約】【課題】光源の基板を液晶表示器で損傷しないように配置し、光源の光が直接に表示面に漏れなくし、堅牢で機器に組込みやすい液晶表示装置を提供する。【解決手段】光源の基板として、導光板４の端部近傍上面に配置された、不透明な補強板３２を有する帯状の配線基板３１を用い、液晶表示器５の端子部５１を光源の配線基板３１上に配置する。また光源である発光素子２の配線３３と、液晶表示器５の配線５３を同じ方向に取り出す。【選択図】        図１
2008134657.tif 000002
【特許請求の範囲】
【請求項１】
略平板状の導光板と、導光板の側部に配置された光源と、導光板の上に配置された液晶
表示器とを有する液晶表示装置において、前記光源は、導光板の端部近傍上面に配置され
た、不透明な補強板を有する帯状の配線基板に導光板側に向かって固着された発光素子か
らなり、前記液晶表示器は、前記光源の略配線基板上に該液晶表示器の端子部を有してい
ることを特徴とする液晶表示装置。
【請求項２】
枠体に収納され底面に反射膜を有する略平板状の導光板と、導光板の側部に配置された
光源と、導光板の上に配置された液晶表示器とを有する液晶表示装置において、前記光源
は、不透明な補強板を有する帯状の可撓性の配線基板に固着された発光素子からなり、該
発光素子の光が導光板に向かうよう枠体に配置され、前記液晶表示器は、前記光源の略配
線基板上に該液晶表示器の端子部を有し、光源の配線と液晶表示器の配線が共に枠体の同
じ辺から導出されていることを特徴とする液晶表示装置。
【発明の詳細な説明】
【技術分野】
【０００１】
本発明はいわゆるＰＤＡなどの小型携帯機器に好適な液晶表示装置に関する。
【背景技術】
【０００２】
従来より、特に小型の液晶表示器に用いる背面照明（バックライト）として、特開平１
１−１０９８７６号公報、特開２００１−３５７７１４号公報などに示されるような発光
素子（例えばＬＥＤ）を用いた液晶表示装置があった。このような発光素子は、液晶表示
器が面であるのに対して点発光に近いので、導光板を用い、その側面から照射することと
なるので、導光板の側面に沿って発光素子用の配線基板を起立させ、配置されることとな
る。
【特許文献１】特開平１１−１０９８７６号公報
【特許文献２】特開２００１−３５７７１４号公報
【発明の開示】
【発明が解決しようとする課題】
【０００３】
然しながら、導光板や液晶表示器が略平板状であるのに対して、発光素子用配線基板が
導光板や液晶表示器に対して垂直であることは、その基板が液晶表示器と接触して発光素
子用配線基板そのものか、液晶表示器の端子部などのどちらかが損傷する恐れがあり好ま
しくなかった。また発光素子はその上部を覆うものが何もないので光が直接漏れてしまい
、液晶表示器の表示面の隅から強い発光点が観察されてしまい好ましくなかった。
【課題を解決するための手段】
【０００４】
本発明は上述の点に鑑みてなされたもので、光源の基板として、導光板の端部近傍上面
に配置された、不透明な補強板を有する帯状の配線基板を用い、液晶表示器の端子部を光
源の配線基板上に配置したものである。また光源である発光素子の配線と、液晶表示器の
配線を同じ方向に取り出すものである。
【発明の効果】
【０００５】
以上のような構成となっているので、光源の配線基板は他の略平板状構成部品と同じ向
きに積層され、しかも光源の光が直接に表示面に漏れることはなく、小型で堅牢であって
、配線の導出方向が同じなので機器に組込みやすい液晶表示装置が提供できる。
【発明を実施するための最良の形態】
【０００６】
図１は本発明実施例の液晶表示装置の断面図で、１は枠体である。この枠体１は、図２
にその平面図を示すが、段差を持つ樹脂製のフレーム１１と金属底板１２とを一体にして
構成したものである。
【０００７】
樹脂製のフレーム１１は各部品の収納固定を補助するものである。このフレーム１１は
段差１１１を有しており、この段差１１１は導光板４や液晶表示器５などの各平板状部品
の位置決めや支持を行うものである。またフレーム１１は発光素子２が固着された配線基
板３１を支持する支持部１１２を有しており、その支持部１１２には発光素子２が導光板
４側面に位置するように突出するための切欠部１１３が設けてある。金属底板１２は平面
状の底面部１２１と側面部１２２を有しており、後述する配線３３及び５３を導出する部
分には側面部１２２が設けられていない。
【０００８】
図１に示すように、枠体１に収納された略平板状の導光板４は、底面に反射膜４１と剥
離シート４２を有し、表面にレンズシート４３と拡散シート４４を有する。導光板４その
ものは厚さ０．６〜２ｍｍのアクリル樹脂などからなる平板で、表面に微細なシボ加工な
ど拡散処理がなされていてもよい。また導光板４の側部に位置あわせ等の目的で突起上の
構造物等が形成されていてもよい。また導光板４の断面が緩やかな楔状となっていてもよ
い。反射膜４１は鏡面処理がなされた金属膜や、反射面が蒸着された樹脂膜などが用いら
れ、このような反射膜４１が金属底板１２の底面部１２１に吸着される虞がある場合には
、それによって反射膜４１の平面度が損なわれ均一照明が出来なくなるので、紙とか別の
種類の樹脂の剥離シート４２で密着を防ぐのが好ましい。
【０００９】
導光板４の側部にはその側部に沿って並んだ複数の発光素子２からなる光源が配置され
、導光板４の上には液晶表示器５が配置されている。この光源は、導光板４の端部近傍上
面の支持部１１２に配置された帯状の配線基板３１に、導光板４方向に向かって固着され
た白色発光ダイオードなどの発光素子２からなる。この配線基板３１は、ポリイミド樹脂
をベースとした可撓性基板（いわゆるフレキシブル基板）であって、その裏面に、塩化ビ
ニル樹脂とかベークライト、スチロール樹脂、ケイ素樹脂、フェノール樹脂などからなる
不透明な又は着色され不透明な補強板３２を接着剤で貼付するなどして一体化している。
この補強板３２は導光板４の幅と略同じかまたは若干長くなっている。また導光板４と支
持部１１２との隙間を覆う程度の大きさを有している。配線基板３１はそのまま側部より
延長部を有し、その延長部は配線３３となっている。この配線３３は側面部１２２に近い
箇所から導出しており、また複数の発光素子２の内、端に配置された発光素子２の近くあ
るいはその発光素子２の外側から導出している。
【００１０】
液晶表示器５は、光源の略配線基板３１上に端子部５１を有し、駆動ＩＣ素子５２が載
置され、可撓性のフラットケーブルなどからなる配線５３が接続されている。これにより
、光源の配線３３と液晶表示器５の配線５３が共に枠体１の同じ辺（金属底板１２の側面
部１２２のない部分）から導出されている。また液晶表示器５の配線５３は光源の配線３
３が導出する箇所以外から導出しており、光源の配線３３と液晶表示器５の配線５３が平
面で見た際、共に重ならないようになっている。
【００１１】
なお、図１に示す断面図は図２のＡ−Ａにおける断面を示している。また図２において
は導光板４や液晶表示器５の平板状部品等は図示していない。
【図面の簡単な説明】
【００１２】
【図１】本発明実施例の液晶表示装置の断面図である。
【図２】図１における枠体の平面図である。
【符号の説明】
【００１３】
１  枠体
２  発光素子
３１  配線基板
３２  補強板
４  導光板
５  液晶表示器
【図１】
2008134657.tif 000003
【図２】
2008134657.tif 000004
【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
略平板状の導光板と、
前記導光板を収納する枠体と、
前記導光板の側部に配置された発光素子と、
前記導光板の上に配置された液晶表示器と、を有する液晶表示装置において、
前記導光板の端部上面側に、前記導光板と重なるように配線基板が配置され、
前記発光素子は、前記配線基板の前記導光板と重なる側の面に固着され、
前記液晶表示器は、前記配線基板の上方に該液晶表示器の端子部を配置し、
前記配線基板から延長する配線と、前記液晶表示器の端子部に接続する配線とは、前記枠体の同じ辺において導出されていることを特徴とする液晶表示装置。
【請求項２】
前記配線基板から延長する配線と、前記液晶表示器の端子に接続する配線とは、平面視において重ならないようにして前記枠体の同じ辺において導出されていることを特徴とする請求項１に記載の液晶表示装置。
【手続補正２】
【補正対象書類名】明細書
【補正対象項目名】全文
【補正方法】変更
【補正の内容】
【発明の詳細な説明】
【技術分野】
【０００１】
本発明はいわゆるＰＤＡなどの小型携帯機器に好適な液晶表示装置に関する。
【背景技術】
【０００２】
従来より、特に小型の液晶表示器に用いる背面照明（バックライト）として、特開平１１−１０９８７６号公報、特開２００１−３５７７１４号公報などに示されるような発光素子（例えばＬＥＤ）を用いた液晶表示装置があった。このような発光素子は、液晶表示器が面であるのに対して点発光に近いので、導光板を用い、その側面から照射することとなるので、導光板の側面に沿って発光素子用の配線基板を起立させ、配置されることとなる。
【特許文献１】特開平１１−１０９８７６号公報
【特許文献２】特開２００１−３５７７１４号公報
【発明の開示】
【発明が解決しようとする課題】
【０００３】
然しながら、導光板や液晶表示器が略平板状であるのに対して、発光素子用配線基板が導光板や液晶表示器に対して垂直であることは、その基板が液晶表示器と接触して発光素子用配線基板そのものか、液晶表示器の端子部などのどちらかが損傷する恐れがあり好ましくなかった。また発光素子はその上部を覆うものが何もないので光が直接漏れてしまい、液晶表示器の表示面の隅から強い発光点が観察されてしまい好ましくなかった。
【課題を解決するための手段】
【０００４】
本発明は、上述の点に鑑みてなされたもので、略平板状の導光板と、前記導光板を収納する枠体と、前記導光板の側部に配置された発光素子と、前記導光板の上に配置された液晶表示器と、を有する液晶表示装置において、前記導光板の端部上面側に、前記導光板と重なるように配線基板が配置され、前記発光素子は、前記配線基板の前記導光板と重なる側の面に固着され、前記液晶表示器は、前記配線基板の上方に該液晶表示器の端子部を配置し、前記配線基板から延長する配線と、前記液晶表示器の端子部に接続する配線とは、前記枠体の同じ辺において導出されているものである。また、前記配線基板から延長する配線と、前記液晶表示器の端子に接続する配線とは、平面視において重ならないようにして前記枠体の同じ辺において導出されているものである。
【発明の効果】
【０００５】
以上のような構成となっているので、光源の配線基板は他の略平板状構成部品と同じ向きに積層され、しかも光源の光が直接に表示面に漏れることはなく、小型で堅牢であって、配線の導出方向が同じなので機器に組込みやすい液晶表示装置が提供できる。
【発明を実施するための最良の形態】
【０００６】
図１は本発明実施例の液晶表示装置の断面図で、１は枠体である。この枠体１は、図２にその平面図を示すが、段差を持つ樹脂製のフレーム１１と金属底板１２とを一体にして構成したものである。
【０００７】
樹脂製のフレーム１１は各部品の収納固定を補助するものである。このフレーム１１は段差１１１を有しており、この段差１１１は導光板４や液晶表示器５などの各平板状部品の位置決めや支持を行うものである。またフレーム１１は発光素子２が固着された配線基板３１を支持する支持部１１２を有しており、その支持部１１２には発光素子２が導光板４側面に位置するように突出するための切欠部１１３が設けてある。金属底板１２は平面状の底面部１２１と側面部１２２を有しており、後述する配線３３及び５３を導出する部分には側面部１２２が設けられていない。
【０００８】
図１に示すように、枠体１に収納された略平板状の導光板４は、底面に反射膜４１と剥離シート４２を有し、表面にレンズシート４３と拡散シート４４を有する。導光板４そのものは厚さ０．６〜２ｍｍのアクリル樹脂などからなる平板で、表面に微細なシボ加工など拡散処理がなされていてもよい。また導光板４の側部に位置あわせ等の目的で突起上の構造物等が形成されていてもよい。また導光板４の断面が緩やかな楔状となっていてもよい。反射膜４１は鏡面処理がなされた金属膜や、反射面が蒸着された樹脂膜などが用いられ、このような反射膜４１が金属底板１２の底面部１２１に吸着される虞がある場合には、それによって反射膜４１の平面度が損なわれ均一照明が出来なくなるので、紙とか別の種類の樹脂の剥離シート４２で密着を防ぐのが好ましい。
【０００９】
導光板４の側部にはその側部に沿って並んだ複数の発光素子２からなる光源が配置され、導光板４の上には液晶表示器５が配置されている。この光源は、導光板４の端部近傍上面の支持部１１２に配置された帯状の配線基板３１に、導光板４方向に向かって固着された白色発光ダイオードなどの発光素子２からなる。この配線基板３１は、ポリイミド樹脂をベースとした可撓性基板（いわゆるフレキシブル基板）であって、その裏面に、塩化ビニル樹脂とかベークライト、スチロール樹脂、ケイ素樹脂、フェノール樹脂などからなる不透明な又は着色され不透明な補強板３２を接着剤で貼付するなどして一体化している。この補強板３２は導光板４の幅と略同じかまたは若干長くなっている。また導光板４と支持部１１２との隙間を覆う程度の大きさを有している。配線基板３１はそのまま側部より延長部を有し、その延長部は配線３３となっている。この配線３３は側面部１２２に近い箇所から導出しており、また複数の発光素子２の内、端に配置された発光素子２の近くあるいはその発光素子２の外側から導出している。
【００１０】
液晶表示器５は、光源の略配線基板３１上に端子部５１を有し、駆動ＩＣ素子５２が載置され、可撓性のフラットケーブルなどからなる配線５３が接続されている。これにより、光源の配線３３と液晶表示器５の配線５３が共に枠体１の同じ辺（金属底板１２の側面部１２２のない部分）から導出されている。また液晶表示器５の配線５３は光源の配線３３が導出する箇所以外から導出しており、光源の配線３３と液晶表示器５の配線５３が平面で見た際、共に重ならないようになっている。
【００１１】
なお、図１に示す断面図は図２のＡ−Ａにおける断面を示している。また図２においては導光板４や液晶表示器５の平板状部品等は図示していない。
【図面の簡単な説明】
【００１２】
【図１】本発明実施例の液晶表示装置の断面図である。
【図２】図１における枠体の平面図である。
【符号の説明】
【００１３】
１  枠体
２  発光素子
３１  配線基板
３２  補強板
４  導光板
５  液晶表示器